(57)【要約】 【課題】  本発明は通気性を有し、かつ、平面形状にして保管や持ち運びに便利な帽子を提供することを目的とする。【手段】  本発明の帽子は、切り込みを設けた２枚以上の平面シートの周縁を固定し、前記切り込みが拡張されることにより空間が形成されることを特徴とする。前記各平面シートの切り込みが設けられる範囲が帽子の外側に向かうほど大きくなることが好ましく、頭頂部につまみを設けたことが好ましい。また、前記切り込みが同心円状に一定の長さを断続的に切断することにより形成されたことが好ましい。 【選択図】図３
2020190046.tif 000002
【特許請求の範囲】
【請求項１】
切り込みを設けた２枚以上の平面シートの周縁部を固定し、前記切り込みが拡張されることにより空間が形成される帽子。
【請求項２】
前記各平面シートの切り込みが設けられる範囲が帽子の外側に向かうほど大きくなる請求項１記載の帽子。
【請求項３】
頭頂部につまみを設けた請求項１または２記載の帽子。
【請求項４】
前記切り込みが同心円状に一定の長さを断続的に切断することにより形成された請求項１〜３のいずれかに記載の帽子。
【発明の詳細な説明】
【技術分野】
【０００１】
この発明は、通気性を有する帽子に関するものである。
【背景技術】
【０００２】
特許文献１には、段ボール又は断面がハニカム構造を有した構造体から構成される素材の風合いと機能を活かした傘帽子が記載されている。本発明によれば、頭に被った際、段ボールの穴から風が入り夏場など涼しくさせることができるが、傘帽子の立体形状を平面形状にすることはできないので持ち運びに不便である。
【０００３】
特許文献２には、多数枚の紙シートを重ね合わせ、互いに隣り合う紙シート同士を幅方向に一定の間隔で多数箇所を接着することにより、紙シートが重ね合わせ方向に伸縮する伸縮基材を形成し、この伸縮基材を紙シートの重ね合わせ方向に所定の形状・幅に裁断してなるものが記載されている。本発明は伸縮性がとてもよく、伸展させた状態では大きな開口が得られ通気性が良い帽子を得ることができるが、帽子の立体形状を平面形状にすることはできないので持ち運びに不便である。また、前記開口を通じて雨が入りやすい。
【先行技術文献】
【特許文献】
【０００４】
【特許文献１】特開平１０−１３０９３１号公報
【特許文献２】特開２００７−６３７１５号公報
【発明の概要】
【発明が解決しようとする課題】
【０００５】
本発明は通気性を有し、かつ、平面形状にして保管や持ち運びに便利な帽子を提供する。
【課題を解決するための手段】
【０００６】
本発明の帽子は、切り込みを設けた２枚以上の平面シートの周縁を固定し、前記切り込みが拡張されることにより空間が形成されることを特徴とする。
【０００７】
前記各平面シートの切り込みが設けられる範囲が帽子の外側に向かうほど大きくなることが好ましい。
頭頂部につまみを設けたことが好ましい。
前記切り込みが同心円状に一定の長さを断続的に切断することにより形成されたことが好ましい。
【発明の効果】
【０００８】
本発明に係る帽子は、平面シートの切り込みが拡張されることにより空間が形成されるため、保管したり持ち運んだりするときは平面形状のままにしておき、帽子として使用するときは、切り込みが拡張されることにより形成される空間により通気性を確保することができる。また、本発明は２枚以上の平面シートで構成されるため、１枚の平面シートで構成されるものと比して、通気性を確保しつつ雨、光、その他の異物が帽子の内部に侵入するのを防ぐことができる。さらに、２枚以上の平面シートの周縁部を固定することによって構成されるので、製作は極めて容易である。
【図面の簡単な説明】
【０００９】
【図１】本発明の帽子に使用される平面シートの平面図（図１（１）、（２））である。
【図２】本発明の帽子に使用される平面シートの斜視図（図２（１））および本発明の帽子の平面状態を表す斜視図（図２（２））である。
【図３】本発明の帽子の斜視図である。
【図４】本発明の別の実施形態の帽子の斜視図である。
【発明を実施するための形態】
【００１０】
以下、本発明に係る通気性を有する帽子の実施形態を図面に基づいて説明する。
図１（１）は、本発明に係る帽子に使用される平面シート１０の平面図であり、平面シート１０には複数の切り込み１１と周縁部１２が設けられている。平面シート１０は正円状に形成されており、切り込み１１は同心円状に一定の長さを断続的に切断することにより形成されている。
【００１１】
図１（２）は、本発明に係る帽子に使用される平面シート２０の平面図であり、平面シート２０には複数の切り込み２１と周縁部２２が設けられている。平面シート２０は正円状に形成されており、切り込み２１は同心円状に一定の長さを断続的に切断することにより形成されている。切り込み２２が設けられている範囲は切り込み１１が設けられている範囲よりも大きい。
【００１２】
平面シート１０、２０の形状に限定はなく、正円状の他、正方形状、矩形状などに形成しても良い。切り込み１１、２１の長さ、幅、位置、形状に限定はなく、後述するように切り込み１１、２２が拡張されることにより空間が形成されるものであれば良い。平面シート１０、２０の素材は軽量化およびコスト削減の観点から紙などの素材を用いることが好ましいが、帽子としての機能を果たすものであればこれに限定されない。
【００１３】
図２（１）は平面シート１０、２０の斜視図である。平面シート１０の上に平面シート２０が位置するようにそれぞれの周縁部１２、２２を固定する。平面シート１０、２０は接着、縫製等の方法により固定されるが、固定方法に格別の制限はない。図２（２）は平面シート１０、２０の周縁部が固定された状態を示す斜視図であり、本発明の帽子１の平面状態を示すものである。本実施形態では平面シート１０、２０の切り込み１１、２２がずれるように周縁部１２、２２を固定している。
【００１４】
後記するように切り込み１１、２２が拡張される際に平面シート１０、２０の間に空間を形成するため、切り込みが設けられている範囲が大きい平面シート２０を上部に、切り込みが設けられている範囲が小さい平面シート１０を下部に位置してそれぞれの周縁部１２、２２を固定している。
【００１５】
図３は本発明の帽子１の斜視図であり、切り込み１１、２２が拡張されることにより空間１３、２３が形成されている。本実施形態では空間１３、２３が略六角形状に形成されているが、これは切り込み１１、２２の形状、位置等に依るものである。切り込み１１が設けられている範囲は切り込み２２が設けられている範囲より小さいので、平面シート１０と平面シート２０の間には空間Ｓが形成される。
【００１６】
本実施形態によれば、平面シート１０、２０の切り込み１１、２２が拡張されることにより空間１３、２３、Ｓが形成されるため、帽子１を保管したり持ち運んだりするときは平面形状のままにしておき（図２（２）参照）、帽子として使用するときは、切り込み１１、２２が拡張されることにより形成される空間１３、２３、Ｓにより通気性を確保することができる。切り込み１１、２２の作用により、平面状態の帽子１を頭部に被せれば自然に切り込み１１、２２が拡張される。
【００１７】
また、２枚の平面シート１０、２０で構成されるため、１枚の平面シートで構成されるものと比して、通気性を確保しつつ雨、光その他の異物が帽子の内部に侵入するのを防ぐことができる。上記した通り、本実施形態では切り込み１１、２２がずれるように周縁部１２、２２を固定しているので、空間１３、２３が完全に重なることがない。そのため、雨や異物の侵入をより防ぐことが可能となる。さらに、２枚の平面シート１０、２２の周縁部１２、２２を固定することによって構成されるので、製作は極めて容易である。
【００１８】
本実施形態では帽子１を２枚の平面シート１０、２０で構成したが、平面シートの枚数に格別の制限はなく、２枚以上の平面シートで構成されていれば良い。平面シートの枚数が多いほど防水性や遮光性が向上するが、重量が増加することに考慮する必要がある。また、各平面シートの間に適切に空間を設けるため、最上位の平面シートに設けたつまみを上方に引っ張った場合に、各平面シートが連動するように糸等で連結することが好ましい。
【００１９】
次に本発明の別の実施形態について図４を参照しながら説明する。
この実施形態では、頭頂部につまみ３０を設けている。帽子１を被着した状態でつまみ３０を上方に引っ張れば空間Ｓをより確実に形成することが可能となる。つまみ３０の形状に格別の制限はなく、頭頂部に切り込みを入れるだけの簡易的なものでも良い。
【００２０】
以上、折り畳み帽子に関する帽子の実施形態について説明したが、本発明に係る帽子は、ハットだけでなく、ハンチング、キャスケットなど、幅広く適用することができる。
【符号の説明】
【００２１】
１    帽子
１０  平面シート
１１  切り込み
１２  周縁部
１３  空間
２０  平面シート
２１  切り込み
２２  周縁部
２３  空間
３０  つまみ
Ｓ    空間
【図１】
2020190046.tif 000003
【図２】
2020190046.tif 000004
【図３】
2020190046.tif 000005
【図４】
2020190046.tif 000006